(57)【要約】【課題】  部品コストと施工コストを低く抑え、薄板せん断パネルを効率良く効果的に補強でき、振動エネルギー吸収能力を向上させて耐震性能を高める。【解決手段】  本発明の薄板せん断パネルの補強構造１は、薄板せん断パネル３の応力作用面５、７に発生する張力場を解消することによって振動エネルギー吸収能力を向上させるようにしたものであり、上記張力場の解消手段として、押出成形によって成形される一様断面の応力拘束材１１を使用し、該応力拘束材１１を薄板せん断パネル３の応力拘束材１１と少なくとも一面に対して連続状態で或いは適宜の間隔を開けて離間状態で複数本設置するように構成した。【選択図】  図２
2008038570.tif 000002
【特許請求の範囲】
【請求項１】
薄板せん断パネルの応力作用面に発生する張力場を解消することによって薄板せん断パネルの振動エネルギー吸収能力を向上させるようにした薄板せん断パネルの補強構造であって、
上記張力場の解消手段として、押出成形によって成形される一様断面の応力拘束材を使用し、該応力拘束材を上記薄板せん断パネルの応力作用面の少なくとも一面に対して連続状態で或いは適宜の間隔を開けて離間状態で複数本設置するようにしたことを特徴とする薄板せん断パネルの補強構造。
【請求項２】
請求項１に記載の薄板せん断パネルの補強構造において、
上記応力拘束材を連続状態で複数本設置する場合には隣接する応力拘束材の接続部に対して高減衰ゴム又は粘弾性体によって形成されるシーリング材を装填又は充填するようにしたことを特徴とする薄板せん断パネルの補強構造。
【請求項３】
薄板せん断パネルの応力作用面に発生する張力場を解消することによって薄板せん断パネルの振動エネルギー吸収能力を向上させるようにした薄板せん断パネルの補強構造であって、
上記張力場の解消手段として、薄板せん断パネルよりも肉厚で機械的強度の大きなリブプレートを使用し、該リブプレートを上記薄板せん断パネルの応力作用面の少なくとも一面に対して連続状態で或いは適宜の間隔を開けて離間状態で複数枚接合するようにしたことを特徴とする薄板せん断パネルの補強構造。
【請求項４】
薄板せん断パネルの応力作用面に発生する張力場を解消することによって薄板せん断パネルの振動エネルギー吸収能力を向上させるようにした薄板せん断パネルの補強構造であって、
上記張力場の解消手段として、薄板せん断パネル自体をプレス加工することによって成形される凹凸リブを使用し、該凹凸リブを上記薄板せん断パネルの応力作用面の少なくとも一面に対して連続状態で或いは適宜の間隔を開けて離間状態で複数個設けるようにしたことを特徴とする薄板せん断パネルの補強構造。
【請求項５】
請求項１〜請求項４の何れかに記載の薄板せん断パネルの補強構造において、
上記張力場の解消手段を離間状態で設ける場合には、上記薄板せん断パネルの応力作用面に発生する座屈波形の進行軸線に対して直交する方向に上記張力場の解消手段が沿うように配置したことを特徴とする薄板せん断パネルの補強構造。
【請求項６】
請求項１〜請求項４の何れかに記載の薄板せん断パネルの補強構造において、
上記張力場の解消手段を離間状態で設ける場合には、上記薄板せん断パネルの応力作用面に発生する座屈波形の進行軸線が分断されて当該座屈波形の進行角度が小さくなるように配置したことを特徴とする薄板せん断パネルの補強構造。
【発明の詳細な説明】
【技術分野】
【０００１】
本発明は、薄板せん断パネルの応力作用面に発生する張力場を解消することによって薄板せん断パネルの振動エネルギー吸収能力を向上させるようにした薄板せん断パネルの補強構造に関するものである。
【背景技術】
【０００２】
角形閉断面形状の薄板鋼材に対する従来の補強構造としては下記の特許文献１に示すような構成の薄板鋼材の補強構造がある。即ち、この薄板鋼材の補強構造は平板状の薄板鋼部材を矩形ボックス状の閉断面形状にロール成形し、薄板鋼部材の接合される両端部をカシメによって接合すると共に、その内部空間にプラスチックフォームを充填することによって構成されている。
そしてこのようにして構成されている薄板鋼材の補強構造は住宅の梁や柱等の構造物として使用されており、該住宅用構造物の軽量化と施工コストの低減化を図ると共に高軸力や曲げモーメントに対する座屈強度を高めて耐震性能を向上させることを目的としている。
【０００３】
一方、図１６（ａ）に示す薄板せん断パネル１０１のように住宅の壁材等として使用されている内部空間を有しない部材に対して、図１６（ｂ）に示すようにせん断方向に荷重Ｑが加わると、薄板せん断パネル１０１はせん断方向に変形量δだけ変形し、薄板せん断パネル１０１の表裏面の応力作用面１０３に対して座屈による皺１０５を発生させる。
そして上記皺１０５が発生すると、図１６（ｂ）中、矢印で示すように薄板せん断パネル１０１の応力作用面１０３には張力場１０７が形成される。又、張力場１０７が形成されると、皺１０５が発生し薄板せん断パネル１０１の応力作用面１０３の履歴面積が小さくなり、図１７に示すように、荷重一変形量曲線Ｗ１によって囲まれた狭いエリアが履歴面積Ｓ１となる。
又、履歴面積が小さいと振動エネルギーの吸収能力が低下するため、耐震性能が低下してしまう。
【０００４】
そこでこのような薄板せん断パネル１０１の耐震性能を向上させるために下記の特許文献１に示すような薄板鋼材の補強構造を薄板せん断パネル１０１に対して適用することが考えられるが、薄板せん断パネル１０１にはそのままではブラスチックフォームを充填するような内部空間は存在しないためその適用は困難である。
又、薄板せん断パネル１０１の応力作用面１０３は比較的面積が大きいため、その全面を補強することは部品コスト及び施工コストの増大を招くことになる。又、薄板せん断パネル１０１の厚さ方向の許容スペースはそれほど広くないため補強部材の厚さ方向の寸法を大きくして頑強な補強を行おうとしても構造上不可能である。
【０００５】
【特許文献１】特開２００１−２６２７７６号公報
【発明の開示】
【発明が解決しようとする課題】
【０００６】
上記背景技術及び背景技術が抱えていた問題点を踏まえて本発明が解決しようとする課題を整理すると、薄板せん断パネルを効率良く効果的に補強し、薄板せん断パネルにせん断方向の荷重が加わった場合でも薄板せん断パネルの応力作用面に座屈による皺を発生させないことである。そして薄板せん断パネルの履歴面積を小さくして薄板せん断パネルの振動エネルギー吸収能力を向上させることである。
本発明はこのような点に基づいてなされたものでその目的とするところは、部品コストや施工コストを低く抑え、薄板せん断パネルを効率良く効果的に補強でき、薄板せん断パネルの応力作用面に発生する張力場を解消して振動エネルギー吸収能力を向上させることによって高い耐震性能を発揮し得る薄板せん断パネルの補強構造を提供することにある。
【課題を解決するための手段】
【０００７】
上記目的を達成するべく本願発明の請求項１による薄板せん断パネルの補強構造は、薄板せん断パネルの応力作用面に発生する張力場を解消することによって薄板せん断パネルの振動エネルギー吸収能力を向上させるようにした薄板せん断パネルの補強構造であって、上記張力場の解消手段として、押出成形によって成形される一様断面の応力拘束材を使用し、該応力拘束材を上記薄板せん断パネルの応力作用面の少なくとも一面に対して連続状態で或いは適宜の間隔を開けて離間状態で複数本設置するようにしたことを特徴とするものである。
又、請求項２による薄板せん断パネルの補強構造は、請求項１に記載の薄板せん断パネルの補強構造において、上記応力拘束材を連続状態で複数本設置する場合には隣接する応力拘束材の接続部に対して高減衰ゴム又は粘弾性体によって形成されるシーリング材を装填又は充填するようにしたことを特徴とするものである。
又、請求項３による薄板せん断パネルの補強構造は、薄板せん断パネルの応力作用面に発生する張力場を解消することによって薄板せん断パネルの振動エネルギー吸収能力を向上させるようにした薄板せん断パネルの補強構造であって、  上記張力場の解消手段として、薄板せん断パネルよりも肉厚で機械的強度の大きなリブプレートを使用し、該リブプレートを上記薄板せん断パネルの応力作用面の少なくとも一面に対して連続状態で或いは適宜の間隔を開けて離間状態で複数枚接合するようにしたことを特徴とするものである。
又、請求項４による薄板せん断パネルの補強構造は、薄板せん断パネルの応力作用面に発生する張力場を解消することによって薄板せん断パネルの振動エネルギー吸収能力を向上させるようにした薄板せん断パネルの補強構造であって、  上記張力場の解消手段として、薄板せん断パネル自体をプレス加工することによって成形される凹凸リブを使用し、該凹凸リブを上記薄板せん断パネルの応力作用面の少なくとも一面に対して連続状態で或いは適宜の間隔を開けて離間状態で複数個設けるようにしたことを特徴とするものである。
又、請求項５による薄板せん断パネルの補強構造は、請求項１〜請求項４の何れかに記載の薄板せん断パネルの補強構造において、上記張力場の解消手段を離間状態で設ける場合には、上記薄板せん断パネルの応力作用面に発生する座屈波形の進行軸線に対して直交する方向に上記張力場の解消手段が沿うように配置したことを特徴とするものである。
又、請求項６による薄板せん断パネルの補強構造は、請求項１〜請求項４の何れかに記載の薄板せん断パネルの補強構造において、上記張力場の解消手段を離間状態で設ける場合には、上記薄板せん断パネルの応力作用面に発生する座屈波形の進行軸線が分断されて当該座屈波形の進行角度が小さくなるように配置したことを特徴とするものである。
【発明の効果】
【０００８】
したがって、本発明による薄板せん断パネルの補強構造によると、薄板せん断パネルの応力作用面に発生する張力場を解消することによって薄板せん断パネルの振動エネルギー吸収能力を向上させるようにした薄板せん断パネルの補強構造であって、上記張力場の解消手段として、押出成形によって成形される一様断面の応力拘束材を使用し、該応力拘束材を上記薄板せん断パネルの応力作用面の少なくとも一面に対して連続状態で或いは適宜の間隔を開けて離間状態で複数本設置するようにしたので、応力拘束材の断面形状を工夫することによって応力拘束材の機械的強度を高め、薄板せん断パネルの応力作用面に発生する張力場を解消して振動エネルギー吸収能力を向上させることができる。又、薄板せん断パネルの応力作用面の表裏両面に応力拘束材を設置した場合には耐震性能が一段と高まり、応力作用面の一面に応力拘束材を設置した場合には、既存の薄板せん断パネルの耐震補強等に利用できるようになる。又、応力拘束材を連続状態で設置すれば薄板せん断パネルを頑強に補強でき、一方、離間状態で設置すれば、部品コストや施工コストを低く抑えることが可能となり、薄板せん断パネルの補強構造の軽量化を図ることも可能となる。
又、上記応力拘束材を連続状態で複数本設置する場合には隣接する応力拘束材の接続部に対して高減衰ゴム又は粘弾性体によって形成されるシーリング材を装填又は充填するようにすることも可能であり、このようにした場合には隣接する応力拘束材間の隙間が埋まって応力拘束材と薄板せん断パネルとの間のシール性が向上すると共に、シーリング材自体が弾性変形することによって振動エネルギー吸収能力の向上にも寄与し得る。
又、薄板せん断パネルの応力作用面に発生する張力場を解消することによって薄板せん断パネルの振動エネルギー吸収能力を向上させるようにした薄板せん断パネルの補強構造であって、上記張力場の解消手段として、薄板せん断パネルよりも肉厚で機械的強度の大きなリブプレートを使用し、該リブプレートを上記薄板せん断パネルの応力作用面の少なくとも一面に対して連続状態で或いは適宜の間隔を開けて離間状態で複数枚接合するようにした場合には、リブプレートを接合することによって薄板せん断パネルの機械的強度が高まり、薄板せん断パネルの応力作用面に発生する張力場を解消して振動エネルギー吸収能力を向上させることができる。又、薄板せん断パネルの応力作用面の表裏両面にリブプレートを接合した場合には耐震性能が一段と高まり、応力作用面の一面にリブプレートを接合した場合には、既存の薄板せん断パネルの耐震補強等に利用できるようになる。又、リブプレートを連続状態で接合すれば、薄板せん断パネルを頑強に補強でき、一方、離間状態で接合すれば、部品コストや施工コストを低く抑えることが可能となり、薄板せん断パネルの補強構造の軽量化を図ることも可能となる。
又、薄板せん断パネルの応力作用面に発生する張力場を解消することによって薄板せん断パネルの振動エネルギー吸収能力を向上させるようにした薄板せん断パネルの補強構造であって、上記張力場の解消手段として、薄板せん断パネル自体をプレス加工することによって成形される凹凸リブを使用し、該凹凸リブを上記薄板せん断パネルの応力作用面の少なくとも一面に対して連続状態で或いは適宜の間隔を開けて離間状態で複数個設けるようにした場合には、凹凸リブを設けることによって薄板せん断パネルの機械的強度が高まり、薄板せん断パネルの応力作用面に発生する張力場を解消して振動エネルギー吸収能力を向上させることができる。又、薄板せん断パネルの応力作用面の表裏両面に凹凸リブを設けた場合には耐震性能が一段と高まり、応力作用面の一面に凹凸リブを設けた場合には、既存の薄板せん断パネルの耐震補強等に利用できるようになる。又、凹凸リブを連続状態で設ければ薄板せん断パネルを頑強に補強でき、一方、離間状態で設ければ、部品コストや施工コストを低く抑えることが可能となり、薄板せん断パネルの補強構造の軽量化を図ることも可能となる。
又、上記張力場の解消手段を離間状態で設ける場合には、上記薄板せん断パネルの応力作用面に発生する座屈波形の進行軸線に対して直交する方向に上記張力場の解消手段が沿うように配置することが可能であり、このようにした場合には薄板せん断パネルを効率良く効果的に補強することが可能になる。
又、上記張力場の解消手段を離間状態で設ける場合には、上記薄板せん断パネルの応力作用面に発生する座屈波形の進行軸線が分断されて、当該座屈波形の進行角度が小さくなるように配置することが可能であり、このようにした場合にも薄板せん断パネルを効率良く効果的に補強することが可能になる。
【発明を実施するための最良の形態】
【０００９】
以下、図１乃至図４に示す第１の実施の形態と、図５及び図６に示す第２の実施の形態と、図７乃至図９に示す第３の実施の形態と、図１０乃至図１２に示す第４の実施の形態を例にとって本発明の薄板せん断パネルの補強構造の構成と、当該補強構造を適用した薄板せん断パネルにせん断方向の荷重が作用した場合の荷重と変形量との関係を具体的に説明する。
（１）第１の実施の形態（図１〜図４、図１４、図１５参照）
第１の実施の形態に係る薄板せん断パネルの補強構造１は薄板せん断パネル３の表面側の応力作用面５と裏面側の応力作用面７に発生する張力場を解消することによって薄板せん断パネル３の振動エネルギー吸収能力を向上させるように作用する。
【００１０】
具体的には薄板せん断パネルの補強構造１は上記張力場の解消手段として、押出成形によって成形される一様断面の応力拘束材１１を使用し、該応力拘束材１１を上記薄板せん断パネル３の表面側の応力作用面５と裏面側の応力作用面７の両面に対して連続状態で隙間なく、各々４本ずつ設置することによって構成されている。
薄板せん断パネル３は一例としてアルミ製で、図示のように肉薄の矩形平板状の部材であり、例えば図示のように水平に架け渡された梁１３と土台１５との間の開口を遮蔽する壁１７の一部として使用される。薄板せん断パネル３と梁１３又は土台１５との固定は一例として取付用Ｌアングル１９と、当該取付用Ｌアングル１９を薄板せん断パネル３、梁１３及び土台１５に固定するためのボルト２１及びナット２３とを使用することによって行われている。
【００１１】
応力拘束材１１は一例としてアルミ製の押出成形材によって構成されており、断面形状は図３に示すように内面側に上記薄板せん断パネル３の表面側の応力作用面５又は裏面側の応力作用面７に当接する凸部２５と、当接しない凹部２７とが互い違いに形成された複雑な形状を有している。
又、応力拘束材１１の外面側からは該応力拘束材１１を薄板せん断パネル３に取り付けるためのボルト２１及びナット２３を受け入れる穴部２９と穴部３１とが形成されている。
尚、これらの穴部２９と穴部３１は図２、３中、左右方向に貫通する段違い穴状に形成されている。
【００１２】
又、上下に隣接する応力拘束材１１の接続部には高減衰ゴム又は粘弾性体によって形成されるシーリング材３３が装填又は充填される。シーリング材３３の形状は図３に示すように上下にフランジ部３５が形成された断面コの字形状をしており、上記フランジ部３５は上記応力拘束材１１の上端部及び下端部の凹部２７に係合するようになっている。
因みにシーリング材３３を設けることによって、隣接する応力拘束材１１間の隙間が埋まって応力拘束材１１と薄板せん断パネル３との間のシール性が向上すると共に、シーリング材３３自体が弾性変形することによって振動エネルギーの吸収能力の向上にも寄与し得る。
【００１３】
そしてこのようにして構成される薄板せん断パネルの補強構造１を適用した薄板せん断パネル３に対して図１４（ｂ）に示すようにせん断方向の荷重Ｑが加わると、薄板せん断パネル３の表面側の応力作用面５と裏面側の応力作用面７にはそれぞれせん断応力のみが作用し、座屈応力は発生しないから薄板せん断パネル３は図示のように変形量δだけ純せん断変形する。
したがって、表裏両面の応力作用面５、７には座屈による皺は発生しないため張力場は形成されない。又、図１５に示すように荷重一変形量曲線Ｗによって囲まれた応力作用面５、７の履歴面積Ｓは図１７に示す皺が発生した場合の荷重一変形量曲線図と比較すると明らかに大きくなり、振動エネルギーの吸収能力が大幅に向上する。
【００１４】
（２）第２の実施の形態（図５、図６、図１４、図１５参照）
第２の実施の形態に係る薄板せん断パネルの補強構造２０１は、上記張力場の解消手段として、薄板せん断パネル３よりも肉厚で機械的強度の大きなリブプレート２１１を使用し、該リブプレート２１１を薄板せん断パネル３の表面側の応力作用面５のみに適宜の間隔を開けて離間状態で計１２枚、一例として接合することによって構成されている。
又、リブプレート２１１は応力作用面５に対する接合位置や、座屈応力の大きさの分布等に併せてその長さは適宜調整できる。又、リブプレート２１１は一例として薄板せん断パネル３の応力作用面５に対して発生する図５中、波線で示す座屈波形の進行軸線Ｌに対して直交する方向に沿うように配置されている。
【００１５】
そしてこのようにして構成される薄板せん断パネルの補強構造２０１を適用した薄板せん断パネル３に対して図１４（ｂ）に示すようにせん断方向の荷重Ｑが加わると、上記第１の実施の形態と同様、薄板せん断パネル３の表面側の応力作用面５にはせん断応力のみが作用し、座屈応力は発生しないから薄板せん断パネル３は図示のように変形量δだけ純せん断変形する。
しがたって、表面側の応力作用面５には座屈による皺は発生せず張力場は形成されない。
又、図１５に示すように荷重一変形量曲線Ｗによって囲まれた応力作用面５の履歴面積Ｓは図１７に示す皺が発生した場合の荷重一変形量曲線図と比較すると明らかに大きくなり、振動エネルギーの吸収能力が大幅に向上する。
又、本実施の形態ではリブプレート２１１を離間状態で設け、しかも座屈波形の進行軸線Ｌに対して直交する方向に沿うように配置したことにより使用するリブプレート２１１の数を少なくでき、部品コストや施工コストの削減に寄与し、薄板せん断パネル３を効率良く効果的に補強することが可能になる。
【００１６】
（３）第３の実施の形態（図７〜図９、図１４、図１５参照）
第３の実施の形態に係る薄板せん断パネルの補強構造３０１は、上記張力場の解消手段として薄板せん断パネル３自体をプレス加工することによって成形される凹凸リブ３１１を使用し、該凹凸リブ３１１を上記薄板せん断パネル３の表面側の応力作用面５に対して適宜の間隔を開けて離間状態で計１２個、一例として成形することによって構成されている。
又、凹凸リブ３１１は応力作用面５に対する成形位置や座屈応力の大きさの分布等に合わせてその長さは適宜調整できる。又、上記凹凸リブ３１１は一例として薄板せん断パネル３の応力作用面５に対して発生する図７中、波線で示す座屈波形の進行軸線Ｌに対して直交する方向に沿うように配置されている。
【００１７】
そしてこのようにして構成される薄板せん断パネルの補強構造３０１を適用した薄板せん断パネル３に対して図１４（ｂ）に示すようにせん断方向の荷重Ｑが加わると、上記第２の実施の形態と同様、薄板せん断パネル３の表面側の応力作用面５にはせん断応力のみが作用し、座屈応力は発生しないから薄板せん断パネル３は図示のように変形量δだけ純せん断変形する。
しがたって、表面側の応力作用面５には座屈による皺は発生せず張力場は形成されない。
又、図１５に示すように荷重一変形量曲線Ｗによって囲まれた応力作用面５の履歴面積Ｓは図１７に示す皺が発生した場合の荷重一変形量曲線図と比較すると明らかに大きくなり、振動エネルギーの吸収能力が大幅に向上する。
又、本実施の形態では凹凸リブ３１１を離間状態で設け、しかも座屈波形の進行軸線Ｌに対して直交する方向に沿うように配置したことにより成形する凹凸リブ３１１の数を少なくでき、部品コストや施工コストの削減に寄与し、薄板せん断パネル３を効率良く効果的に補強することが可能になる。
【００１８】
（４）第４の実施の形態（図１０〜図１３参照）
第４の実施の形態に係る薄板せん断パネルの補強構造４０１は、上記第３の実施の形態と同様、上記張力場の解消手段として薄板せん断パネル３自体をプレス加工することによって成形される凹凸リブ４１１を使用し、該凹凸リブ４１１を上記薄板せん断パネル３の表面側の応力作用面５に対して適宜の間隔を開けて離間状態で計５個、一例として成形することによって構成されている。
又、凹凸リブ４１１は図１０に示すように梁１３及び土台１５と平行で、薄板せん断パネル３の高さ方向に対してほぼ等間隔になるように配置されている。
【００１９】
そしてこのようにして構成される薄板せん断パネルの補強構造４０１を適用した薄板せん断パネル３に対して図１３に示すようにせん断方向の荷重Ｑが加わると、上記第３の実施の形態と同様、表面側の応力作用面５には座屈による皺は発生せず張力場は形成されない。
又、凹凸リブ４１１を上記のように設けることによって、座屈波形の進行軸線Ｌが分断され、当該座屈波形の進行角度θが小さくなる。尚、本実施の形態では張力場が形成されるが、座屈波形の進行角度θが小さいので皺の発生が遅れるため振動エネルギーの吸収能力は向上する。
【００２０】
尚、本発明は前記第１〜第４の実施の形態に限定されるものではない。例えば第１の実施の形態において使用した応力拘束材１１は応力作用面５、７の何れか一方のみに設けることが可能であり、連続状態で設ける他、第２〜第４の実施の形態のように離間状態で設けることも可能である。又、第２〜第４の実施の形態において採用した張力場の解消手段の配置を第１の実施の形態に適用することも可能であるし、第２〜第４の実施の形態において第１の実施の形態のように張力場の解消手段を連続状態で設けることも可能である。
【産業上の利用可能性】
【００２１】
本発明は、住宅等の建築物の施工現場等において薄板せん断パネルを新たに使用する場合や耐震性能を高めるため既存の薄板せん断パネルを補強したい場合等に利用でき、特に部品コストや施工コストを低く抑え、薄板せん断パネルを効率良く、効果的に補強したい場合や薄板せん断パネルの応力作用面に発生する張力場を解消して振動エネルギー吸収能力を向上させたい場合に使用される薄板せん断パネルの補強構造の製造、施工分野等において利用可能性を有する。
【図面の簡単な説明】
【００２２】
【図１】本発明の第１の実施の形態を示す図で、薄板せん断パネルの補強構造の使用状態を示す正面図である。
【図２】本発明の第１の実施の形態を示す図で、薄板せん断パネルの補強構造の使用状態を示す側断面図である。
【図３】本発明の第１の実施の形態を示す図で、薄板せん断パネルの補強構造の一部を分解して示す側断面図である。
【図４】本発明の第１の実施の形態を示す図で、図４（ａ）は薄板せん断パネルの補強構造を適用した薄板せん断パネルの無負荷時の正面図、図４（ｂ）はせん断方向の荷重が加わった時の正面図である。
【図５】本発明の第２の実施の形態を示す図で、薄板せん断パネルの補強構造の使用状態を示す正面図である。
【図６】本発明の第２の実施の形態を示す図で、薄板せん断パネルの補強構造の使用状態を示す側断面図である。
【図７】本発明の第３の実施の形態を示す図で、薄板せん断パネルの補強構造の使用状態を示す正面図である。
【図８】本発明の第３の実施の形態を示す図で、薄板せん断パネルの補強構造の使用状態を示す側断面図である。
【図９】本発明の第３の実施の形態を示す図で、図７中のＩＸ−ＩＸ断面図である。
【図１０】本発明の第４の実施の形態を示す図で、薄板せん断パネルの補強構造の使用状態を示す正面図である。
【図１１】本発明の第４の実施の形態を示す図で、薄板せん断パネルの補強構造の使用状態を示す側断面図である。
【図１２】本発明の第４の実施の形態を示す図で、図１０中のＸＩＩ−ＸＩＩ断面図である。
【図１３】本発明の第４の実施の形態の作用効果を示す図で、張力場が分断される様子を示す正面図である。
【図１４】本発明の第１〜第３の実施の形態の作用効果を示す図で、図１４（ａ）は薄板せん断パネルの補強構造を適用した薄板せん断パネルの無負荷時の正面図、図１４（ｂ）はせん断方向の荷重が加わった時の正面図である。
【図１５】本発明の第１〜第３の実施の形態の作用効果を示す図で、荷重と変形量の関係を示すグラフである。
【図１６】補強しない或いは補強が不充分な薄板せん断パネルの現象及び特性を示す図で、図１６（ａ）は薄板せん断パネルの無負荷時の正面図、図１６（ｂ）はせん断方向の荷重が加わった時の正面図である。
【図１７】補強しない或いは補強が不充分な薄板せん断パネルの現象及び特性を示す図で、荷重と変形量の関係を示すグラフである。
【符号の説明】
【００２３】
１  薄板せん断パネルの補強構造
３  薄板せん断パネル
５  表面側の応力作用面
７  裏面側の応力作用面
１１  応力拘束材
１３  梁
１５  土台
１７  壁
１９  取付用Ｌアングル
２１  ボルト
２３  ナット
２５  凸部
２７  凹部
２９  穴部
３１  穴部
３３  シーリング材
３５  フランジ部
２０１  薄板せん断パネルの補強構造
２１１  リブプレート
３０１  薄板せん断パネルの補強構造
３１１  凹凸リブ
４０１  薄板せん断パネルの補強構造
４１１  凹凸リブ
Ｑ  荷重
δ  変形量
Ｗ  荷重一変形量曲線
Ｓ  履歴面積
Ｌ  座屈波形の進行軸線
θ  座屈波形の進行角度
【図１】
2008038570.tif 000003
【図２】
2008038570.tif 000004
【図３】
2008038570.tif 000005
【図４】
2008038570.tif 000006
【図５】
2008038570.tif 000007
【図６】
2008038570.tif 000008
【図７】
2008038570.tif 000009
【図８】
2008038570.tif 000010
【図９】
2008038570.tif 000011
【図１０】
2008038570.tif 000012
【図１１】
2008038570.tif 000013
【図１２】
2008038570.tif 000014
【図１３】
2008038570.tif 000015
【図１４】
2008038570.tif 000016
【図１５】
2008038570.tif 000017
【図１６】
2008038570.tif 000018
【図１７】
2008038570.tif 000019